(57)【特許請求の範囲】
【請求項１】
支持体と被支持体との間をシールするガスケットであって、
前記支持体と別部材であり、前記支持体に固定される枠状の取付プレートと、
前記被支持体と別部材であり、前記取付プレートの周方向に沿って設けられた側壁部と、
前記側壁部の周方向に沿って設けられ、前記取付プレートとの間に差し込み空間を画定する鍔部と、
押出成形されたゴム状弾性体よりなり、全長に亙って同一断面形状を有し、前記取付プレートの全周に亙って非接着で組み付けられたガスケット本体であって、
前記取付プレートに接触する第１シール部と、
前記第１シール部とは反対側で、前記被支持体に接触する第２シール部と、
前記差し込み空間に差し込まれた差し込み突起と、
を有するガスケット本体と、
を有するガスケット。
【請求項２】
前記第１シール部は、シールビードを有する、
請求項１に記載のガスケット。
【請求項３】
前記第１シール部は、平行に配置された複数の前記シールビードを有する、
請求項２に記載のガスケット。
【請求項４】
前記シールビードは、断面円弧形を有する、
請求項２又は３に記載のガスケット。
【請求項５】
前記第２シール部は、シールリップを有する、
請求項１〜４のいずれかに記載のガスケット。
【請求項６】
前記シールリップは、断面三角形を有する、
請求項５に記載のガスケット。
【請求項７】
前記鍔部は、第１抜け止め突起を有し、
前記差し込み突起は、前記第１抜け止め突起と係合可能な第２抜け止め突起を有する、
請求項１〜６のいずれかに記載のガスケット。
【発明の詳細な説明】
【技術分野】
【０００１】
本発明は、ガスケットに関する。
【背景技術】
【０００２】
電気モビリティ（ｅ-Mobility）化の進展に伴い、自動車等車両の車体側部品と車体側部品に搭載するバッテリケースとの間をシールするバッテリケース用ガスケットの開発が進められている（例えば、特開２０１１−１０３２５９号公報、特開２０１２−１２２５３６号公報）。【０００３】
バッテリケース用ガスケットは、バッテリケースの大きさに応じてガスケット周長が長くガスケット平面形状が大きい。そのため、プレス成形では対応できず、押出成形での対応が必要とされる。
【発明の概要】
【発明が解決しようとする課題】
【０００４】
押出成形品は周上で同一形状であり、ガスケットを装着箇所に装着するためには、成形品の追加工や装着用の溝が必要となる。【０００５】
しかし、成形品の追加工は手間がかかり高価である。また、ガスケットを装着する部品がプレス成形される場合、ガスケット装着溝の確保が困難である。【０００６】
本発明は、ガスケットの加工性および装着性を向上させることを目的とする。
【課題を解決するための手段】
【０００７】
本発明は、支持体に取り付けられるガスケットであって、
前記支持体に固定される枠状の取付プレートと、
前記取付プレートの周方向に沿って設けられた側壁部と、
前記側壁部の周方向に沿って設けられ、前記取付プレートとの間に差し込み空間を画定する鍔部と、
押出成形されたゴム状弾性体よりなり、全長に亙って同一断面形状を有し、前記取付プレートの全周に亙って非接着で組み付けられたガスケット本体であって、
前記取付プレートに接触する第１シール部と、
前記第１シール部とは反対側で、被支持体に接触する第２シール部と、
前記差し込み空間に差し込まれた差し込み突起と、
を有するガスケット本体と、
を有する。
【発明の効果】
【０００８】
本発明によれば、ガスケットの加工性および装着性が向上する。
【図面の簡単な説明】
【０００９】
【図１】第１実施形態のガスケットの全体平面図
【図２】第１実施形態のガスケットの一部拡大平面図
【図３】第１実施形態のガスケットの一部拡大斜視図
【図４】図１におけるＡ−Ａ線拡大断面図
【図５】第２実施形態のガスケットの一部断面図
【発明を実施するための形態】
【００１０】
＜第１実施形態＞
本実施形態のガスケットは、自動車等車両の車体側部品と車体側部品に搭載されるバッテリケースとの間をシールするバッテリケース用ガスケットである。ガスケットは、車体側部品の平面上に設置され、ガスケットの平面上にバッテリケースが積載される。
【００１１】
図１から図４に示すように、ガスケット１は、取付プレート１１と、側壁部２２と、鍔部２３と、ガスケット本体３１と、を有する。取付プレート１１は、枠状であり、車体側部品（支持体）５１の平面上に固定される。側壁部２２は、取付プレート１１の周方向に沿って設けられる。鍔部２３は、側壁部２２の周方向に沿って設けられる。鍔部２３と取付プレート１１との間に、差し込み空間２４が画定される。ガスケット本体３１は、押出成形されたゴム状弾性体よりなり、全長に亙って同一断面形状を有する。ガスケット本体３１は、取付プレート１１の全周に亙って、非接着で組み付けられる。ガスケット本体３１は、差し込み突起３６を有する。差し込み突起３６は、差し込み空間２４に差し込まれる。
【００１２】
取付プレート１１は、平板状の金属部品である。バッテリケース（被支持体）６１を積載できるよう、取付プレート１１は、バッテリケース６１の平面形状に応じて、例えば、平面長方形の枠状である。取付プレート１１は、ネジ通し孔１２を有する。取付プレート１１は、車体側部品５１にネジ止め固定される。本実施形態のネジ通し孔１２は、カラー２１およびガスケット本体３１の外周側に設けられるが、カラー２１およびガスケット本体３１の内周側に設けられても良い。
【００１３】
側壁部２２および鍔部２３は、一体に形成され、カラー２１を構成する。
【００１４】
カラー２１は、金属部品である。取付プレート１１と同様、カラー２１は、平面長方形の枠状である。カラー２１は、取付プレート１１の全周に亙って組み付けられ、取付プレート１１に溶接固定される。カラー２１は、ガスケット本体３１を取付プレート１１平面上の定位置に保持し、かつ、ガスケット本体３１を取付プレート１１から外れにくくする。鍔部２３は、側壁部２２の上端位置から枠状の内側方向（内周方向）へ向けて一体に設けられる。鍔部２３と取付プレート１１との間に、差し込み突起３６を非接着で差し込む差し込み空間２４が画定される。平面長方形の角部には、ガスケット本体３１を組み付け易くするため、直角度に亙る平面円弧形のアール部が設けられても良い。
【００１５】
ガスケット本体３１は、取付プレート１１およびカラー２１に対し全周に亙って非接着で組み付けられる。
【００１６】
ガスケット本体３１の下端面は、取付プレート１１に接触するシール部（第１シール部）３２となる。シール部３２には、断面円弧形の複数のシールビード３３が平行に配置される。シールビード３３により、取付プレート１１に対する座りが良くなり、優れたシール性が発揮される。
【００１７】
ガスケット本体３１の上端面は、バッテリケース６１に接触するシール部（第２シール部）３４となる。シール部３４にガスケット本体３１と同幅の、断面三角形のシールリップ３５が設けられる。シールリップ３５は、バッテリケース６１の重量荷重の入力に対し弾性変形しやすく、優れたシール性を発揮する。シール部３２，３４ならびにシールビード３３およびシールリップ３５は、いずれもガスケット本体３１の全長に亙って設けられる。
【００１８】
ガスケット本体３１は、押出成形品であるため、無端状ではなく有端状に成形される。ガスケット本体３１は、長さ方向の両端に端部３７，３８を有する。ガスケット本体３１を取付プレート１１およびカラー２１に沿って枠状に組み付けるとき、端部３７，３８は互いに突き合わされ、端部３７，３８同士が接触する。端部３７，３８は、接着剤やその他の接合手段により一体に連結しても良い。
ガスケット本体３１の形状を一部で変更するような成形品の追加工は施されない。
【００１９】
差し込み突起３６は、ガスケット本体３１の下端位置から枠状の外側方向（外周方向）へ向けて一体に設けられる。差し込み突起３６は、差し込み空間２４に非接着のまま差し込まれる。差し込み突起３６は、ガスケット本体３１の全長に亙って設けられる。
【００２０】
本実施形態のガスケット１では、押出成形されたガスケット本体３１に成形品の追加工が施されない。また、ガスケット本体３１を装着する部品である車体側部品５１に、プレス加工によるガスケット装着溝も設けられていない。それにもかかわらず、ガスケット本体３１を定位置に保持して、ガスケット本体３１によるシール作用を発揮できる。よって、ガスケット本体３１の加工性および装着性が向上する。
【００２１】
＜第２実施形態＞
第１実施形態のガスケット１では、差し込み突起３６が差し込み空間２４に差し込まれるが、差し込み空間２４の内面に接着されるわけではない。そのため、ガスケット本体３１が周上一部でカラー２１から離れる方向へ変位して、差し込み突起３６が差し込み空間２４から抜け出ることが懸念される。
【００２２】
図５に示すように、第２実施形態のガスケット１は、ガスケット抜け止め構造４１を有する。すなわち、鍔部２３は、下面に第１抜け止め突起２５を有し、差し込み突起３６は、上面に第２抜け止め突起３９を有する。抜け止め突起２５，３９は、互いに係合可能であり、ガスケット抜け止め構造４１を構成する。本実施形態によれば、抜け止め突起２５，３９が互いに係合することにより、差し込み突起３６が差し込み空間２４から抜け出るのを防止できる。
【００２３】
側壁部２２は、取付プレート１１に一体に設けられても良い。この場合、鍔部２３が側壁部２２に固定される。側壁部２２および鍔部２３は、双方共に取付プレート１１に一体に設けられても良い。ガスケット本体３１は、側壁部２２および鍔部２３（カラー２１）の内周側でなく、外周側に組み付けられても良い。この場合、鍔部２３が側壁部２２から外周方向へ向けて設けられ、差し込み突起３６がガスケット本体３１から内周方向へ向けて設けられる。
【符号の説明】
【００２４】
１  ガスケット
１１  取付プレート
１２  ネジ通し孔
２１  カラー
２２  側壁部
２３  鍔部
２４  差し込み空間
２５，３９  抜け止め突起
３１  ガスケット本体
３２，３４  シール部
３３  シールビード
３５  シールリップ
３６  差し込み突起
３７，３８  端部
４１  ガスケット抜け止め構造
５１  車体側部品（支持体）
６１  バッテリケース（被支持体）
【図１】
0006922103.tif 000002
【図２】
0006922103.tif 000003
【図３】
0006922103.tif 000004
【図４】
0006922103.tif 000005
【図５】
0006922103.tif 000006